(57)【特許請求の範囲】
【請求項１】
複数のケーブルが敷設されている管路において、直管部と拡径部とそれの末端の外周フランジとを有する管路口を閉塞して止水する構造であって、
前記管路口の拡径部内に、前記ケーブルを挿通させるように嵌め込み固定される内側パッキングと、
前記管路口の拡径部内の前記内側パッキングの前面側に、拡径部の内周面及び前記ケーブル外周面に密着するように充填される止水コンパウンドと、
前記ケーブルの、前記止水コンパウンドから延出した部位所定範囲の相互間隙に圧入される液状止水剤を含浸させた脱脂綿と、
前記管路口の外周フランジの前面に密着するように固定される環状の弾性パッキングと、
前記弾性パッキングの内側であって前記止水コンパウンドの前面側に充填される脱脂綿と、
前記ケーブルを挿通させ、かつ前記弾性パッキングの内側に充填される脱脂綿の前面側を押さえるように当該弾性パッキングの前面側に固定される外側パッキングと、
この外側パッキングの前面側に密着し、かつ前記ケーブルを挿通させ、ボルト・ナットによって前記外周フランジに締付け固定される押さえ金具とを具備し、
前記弾性パッキングは、それの外周から内周に貫通する薬液注入孔を有し、薬液注入孔から、当該弾性パッキングの内側に充填された前記脱脂綿に外部から液状止水剤を注入できるように構成されることを特徴とする管路口の止水構造。
【請求項２】
前記押さえ金具と前記ケーブルの外周との隙間に、液状止水剤を含浸させた脱脂綿がさらに圧入されることを特徴とする請求項１に記載の管路口の止水構造。
【請求項３】
前記弾性パッキングの内径は、前記外周フランジの内径よりも小さく、それによって、前記止水コンパウンドの前面側の外周縁部が押さえられることを特徴とする請求項１又は２に記載の管路口の止水構造。
【請求項４】
複数のケーブルが敷設されている管路において、拡径部とそれの末端の外周フランジとを有する管路口の当該拡径部内に、前記ケーブルを挿通させて嵌め込み固定されている既設の内側パッキングと、
前記管路口の拡径部内の前記内側パッキングの前面側に、拡径部の内周面及び前記ケーブル外周面に密着するように充填されている既設の止水コンパウンドと、
前記ケーブルを挿通させ、かつ前記止水コンパウンドの前面側を押さえるように前記外周フランジに固定されている既設の外側パッキングと、
この外側パッキングの前面側に密着し、かつ前記ケーブルを挿通させてボルト・ナットによって前記外周フランジに締付け固定されている既設の押さえ金具とを具備する既設の止水箇所を改修する工法であって、
前記既設の押さえ金具及び前記既設の外側パッキングを前記管路口から取り外し、前記既設の止水コンパウンドを露出させる工程と、
前記ケーブルの、前記の止水コンパウンドから延出した部位所定範囲の相互間隙に、液状止水剤を含浸させた脱脂綿を圧入する工程と、
前記管路口の外周フランジの前面に密着するように、請求項１に記載の環状の弾性パッキングを配置する工程と、
前記既設の止水コンパウンドの前面側であって前記弾性パッキングの内側に脱脂綿を充填する工程と、
前記ケーブルを挿通させかつ前記弾性パッキングの内側に充填された前記脱脂綿の前面側を押さえるように弾性パッキングの前面側に前記外側パッキングを再度配置する工程と、
前記外側パッキングの前面側に密着させ、前記ボルト・ナットによって前記押さえ金具を前記外周フランジに再度締付け固定する工程と、
前記弾性パッキングの薬液注入孔から当該弾性パッキングの内側に充填された前記脱脂綿に外側から液状止水剤を注入して含浸させる工程とを含むことを特徴とする管路口止水部の改修工法。
【請求項５】
複数のケーブルが敷設されている管路において、拡径部とそれの末端の外周フランジとを有する管路口の当該拡径部内に、前記ケーブルを挿通させて内側パッキングを嵌め込み固定する工程と、
前記管路口の拡径部内の前記内側パッキングの前面側に、拡径部の内周面及び前記ケーブル外周面に密着するように止水コンパウンドを充填する工程と、
前記ケーブルの、前記の止水コンパウンドから延出した部位所定範囲の相互間隙に、液状止水剤を含浸させた脱脂綿を圧入する工程と、
前記管路口の外周フランジの前面に密着するように、請求項１に記載の環状の弾性パッキングを配置する工程と、
前記止水コンパウンドの前面側であって前記弾性パッキングの内側に脱脂綿を充填する工程と、
前記ケーブルを挿通させかつ前記弾性パッキングの内側に充填された前記脱脂綿の前面側を押さえるように、弾性パッキングの前面側に外側パッキングを配置する工程と、
前記外側パッキングの前面側に密着させ、前記ボルト・ナットによって押さえ金具を前記外周フランジに締付け固定する工程と、
前記弾性パッキングの薬液注入孔から、当該弾性パッキングの内側に充填された前記脱脂綿に、外側から液状止水剤を注入して含浸させる工程と、
前記押さえ金具と前記ケーブルの外周との隙間及びケーブル相互間の隙間に、液状止水剤を含浸させた脱脂綿を圧入する工程とを含むことを特徴とする管路口の止水工法。
【発明の詳細な説明】
【技術分野】
【０００１】
この発明は、ケーブルが敷設されている管路の管路口を閉塞して止水するための止水構造と止水工法に関する。
【背景技術】
【０００２】
マンホール間等に埋設されている管路には、地下水や雨水が浸入することが多く、管路が開口するマンホール等へ漏水することがある。管路からマンホール内等への漏水を防止するため、管路口の部分には、防水管路材が用いられ、その管路口を閉塞して止水するようにしている。防水管路材は、マンホール内等へ開口する端部に、口径が拡大したフランジ部を有し、このフランジ部内に種々の止水材が充填される。
この種の管路口の止水装置としては、特許文献１に記載されるものが知られている。この止水装置は、防水管路材の管路口に例えば３本のケーブル類を挿通させている場合、３つの貫通孔を有する後側パッキングおよび前側パッキングと、前後両パッキング間に充填される止水コンパウンドと、同じく３つの貫通孔を有する締付金具とを備えている。締付金具は、左右一対の部材からなり、両者を締付ボルトによって管路材のフランジ部端面に締付けて固定される。この管路口止水装置の組み付けは、先ず貫通孔にケーブル類を導入し、防水管路材のフランジ部の内側に後側パッキングを嵌め込み、その前方に隙間を塞ぐように止水コンパウンドを詰め込んでから、前側パッキングを取り付け、次に左右一対の締付金具を装着して締付ボルトでフランジ部の端面に締付ける方法でなされる。
この止水装置の止水コンパウンドによる閉塞のみでは、十分な止水効果が得られないため、フランジ部より奥側の管路内に液状止水剤を注入することも行われている。
【先行技術文献】
【特許文献】
【０００３】
【特許文献１】実用新案登録第３１３７８８２号公報
【発明の概要】
【発明が解決しようとする課題】
【０００４】
上記従来の管路口の止水方法においては、液状止水剤を管路口の奥に注入するため、作業性が悪いし、作業によりケーブルを損傷するおそれがある。また、再施工する際には、管路口内部の清掃に手間がかかる難点がある。
したがって、この出願に係る発明は、管路口の外部での簡単な施工により十分な止水効果が得られる止水構造を提供することを目的としている。
【課題を解決するための手段】
【０００５】
以下、添付図面の符号を参照して説明するが、本発明はこれに限定されるものではない。
上記課題を解決するための、この出願に係る発明の止水構造は、複数のケーブルＣが敷設されている管路１において、直管部３と拡径部４とそれの末端の外周フランジ５とを有する管路口２を閉塞して止水する構造であり、内側パッキング６と、止水コンパウンド７と、液状止水剤を含浸させた脱脂綿８と、弾性パッキング９と、脱脂綿１０と、外側パッキング１１と、押さえ金具１２とを具備する。内側パッキング６は、管路口２の拡径部４内に、ケーブルＣを挿通させるように嵌め込み固定される。止水コンパウンド７は、管路口２の拡径部４内の内側パッキング６の前面側に、拡径部４の内周面及びケーブルＣの外周面に密着するように充填される。液状止水剤を含浸させた脱脂綿８は、ケーブルＣの、止水コンパウンド７から延出した部位所定範囲の相互間隙に圧入される。環状の弾性パッキング９は、管路口４の外周フランジ５の前面に密着するように固定される。脱脂綿１０が、止水コンパウンド７の前面側であって弾性パッキング９の内側に充填される。外側パッキング１１は、ケーブルＣを挿通させ、かつ脱脂綿１０の前面側を押さえるように弾性パッキング９の前面側に固定される。押さえ金具１２は、外側パッキング１１の前面側に密着し、かつケーブルＣを挿通させ、ボルト・ナット１４，１５によって外周フランジ５に締付け固定される。弾性パッキング９は、それの外周から内周に貫通する薬液注入孔９ｃを有し、当該弾性パッキング９の内側に充填された脱脂綿１０に外部から液状止水剤を注入できるように構成される。
また、上記課題を解決するための、この出願に係る発明の止水工法は、上記同様の、内側パッキング６と、止水コンパウンド７と、外側パッキング１１と、押さえ金具１２とが既に設置されている管路口を改修する工法であって、既設の押さえ金具１２及び既設の外側パッキング１１を管路口２から取り外し、既設の止水コンパウンド７を露出させる工程と、ケーブルＣの、止水コンパウンド７から延出した部位所定範囲の相互間隙に、液状止水剤を含浸させた脱脂綿８を圧入する工程と、管路口２の外周フランジ５の前面に密着するように、上記環状の弾性パッキング９を配置する工程と、既設の止水コンパウンド７の前面側であって弾性パッキング９の内側に脱脂綿１０を充填する工程と、ケーブルＣを挿通させかつ脱脂綿１０の前面側を押さえるように弾性パッキング９の前面側に外側パッキング１１を再度配置する工程と、外側パッキング１１の前面側に密着させ、ボルト・ナット１４，１５によって、押さえ金具１２を外周フランジ５に再度締付け固定する工程と、弾性パッキング９の薬液注入孔９ｃから、脱脂綿１０に、外側から液状止水剤を注入して含浸させる工程とを含む。
【発明の効果】
【０００６】
この出願に係る発明の止水構造によれば、管路口の外部での簡単な施工により十分な止水効果が得られる。
【図面の簡単な説明】
【０００７】
【図１】本発明の実施形態に係る管路口の止水構造を示す分解斜視図である。
【図２】図１の管路口の止水構造を示す断面図である。
【図３】図１の管路口の止水構造における弾性パッキングの断面図である。
【発明を実施するための形態】
【０００８】
図面を参照してこの発明の実施の形態を説明する。
図１において、地中に埋設された管路１には、複数のケーブルＣが敷設されている。管路1は、マンホール内に開口する管路口２を有する。管路口２は、直管部３と、段部４ａを介して内径が拡大する拡径部４と、それの末端の外周フランジ５とを具備する。外周フランジ５は、ボルト挿通用の切欠５ａを有する。
【０００９】
図２に示すように、管路口２は、管路1内に浸入した水が、マンホール内に流出しないように、閉塞する構造とされる。図示の実施形態の止水構造は、内側パッキング６、止水コンパウンド７、液状止水剤を含浸させた脱脂綿８，１３、弾性パッキング９、脱脂綿１０、外側パッキング１１、押さえ金具１２で構成される。
【００１０】
内側パッキング６は、ゴムのような弾性樹脂で構成され、切れ目６ａを備えた環状体である。内側パッキング６は、ケーブルＣを挿通させ、拡径部４内の最奥部の段部４ａに当接するように、管路口２内に嵌め込み固定される。
【００１１】
止水コンパウンド７は、不乾性シーリングコンパウンド（例えば、日東化成工業株式会社の商品名「ネオシール」）であり、拡径部４内の内側パッキング６の前面側に、拡径部４の内周面及びケーブルＣの外周面に密着するように充填される。
【００１２】
液状止水剤（例えば、親水性重合硬化型液状止水剤）を含浸させた脱脂綿８が、ケーブルＣの外周と止水コンパウンド７との隙間及びケーブルＣの、止水コンパウンド７から延出した部位所定範囲の相互間隙に圧入される。液状止水剤は、隙間に浸出する水と反応して硬化する。このとき、ケーブルＣの相互間を工具等を用いて開き、押さえ金具１２の装着位置よりやや前方位置までの隙間に脱脂綿８を詰めるようにすると、一層効果的である。液状止水剤が、単体では水との接触面積が小さく、表面のみが硬化して沈殿してしまう性質を持つ場合でも、脱脂綿に含浸させることで水との接触面積が増大し、硬化反応を促進することができる。
【００１３】
環状の弾性パッキング９が、外周フランジ５の前面に密着するように固定される。弾性パッキング９は、ゴムのような弾性樹脂製で、図３に示すように、切れ目９ａと、ボルト挿通孔９ｂとを備えた環状体であり、それの外周から内周に貫通する薬液注入孔９ｃを有する。弾性パッキング９の内径は、外周フランジ５の内径より小さく、したがって、弾性パッキング９の内周縁部が、外周フランジ５の前面の内周側へ張り出しており、それによって、止水コンパウンド７の外周縁部が押さえられる。
【００１４】
脱脂綿１０が、止水コンパウンド７の前面側であって弾性パッキング９の内側に充填される。
【００１５】
ゴムのような弾性樹脂で構成される外側パッキング１１は、切れ目１１ａとボルト挿通用の切欠１１ｂとを備えた環状体であり、開口１１ｃにケーブルＣを挿通させ、かつ脱脂綿１０の前面側を押さえるように、弾性パッキング９の前面側に密着して配置される。
【００１６】
押さえ金具１２は、結合状態で環状体をなす２分割体１２ａ、１２ｂで構成される。各分割体１２ａ、１２ｂは、それぞれボルト挿通用の切欠１２ｃを備える。押さえ金具１２は、外側パッキング１１の前面側に密着し、かつケーブルＣを開口１２ｄに挿通させ、ボルト・ナット１４，１５によって外周フランジ５に締付け固定される。押さえ金具１２と外周フランジ５との間には、弾性パッキング９と外側パッキング１１が挟持される。
【００１７】
押さえ金具１２を装着後、弾性パッキング９の薬液注入孔９ｂを通して、その内側に充填された脱脂綿１０に、外部から液状止水剤が注入される。液状止水剤は、脱脂綿１０に浸潤した後、水と反応して硬化する。また、必要に応じて、ケーブルＣの、押さえ金具１２からの延出部付近の相互の隙間及び押さえ金具との隙間に、液状止水剤を含浸させた脱脂綿１３が圧入される。
【００１８】
上記止水構造を新規に構成する場合には、内側パッキング６、止水コンパウンド７、液状止水剤を含浸させた脱脂綿８、弾性パッキング９、脱脂綿１０、外側パッキング１１、押さえ金具１２、弾性パッキング９の薬液注入孔９ｂからの液状止水剤の注入の順で施工する。
【００１９】
既に、止水コンパウンド７、外側パッキング１１、押さえ金具１２が組み付けられている管路口２の止水効果を高めるために、改修工事によって上記の止水構造を構成することができる。この場合には、いったん外側パッキング１１、押さえ金具１２を取り外し、そこに順次、液状止水剤を含浸させた脱脂綿８、弾性パッキング９、脱脂綿１０を装着した後、再び、外側パッキング１１と、押さえ金具１２を組み付ける工法を採用することができる。この場合、漏水箇所を目視確認でき、当該箇所に液状止水剤を含浸させた脱脂綿８を詰めることによって、効果的に止水することができるし、既設の全ての止水部材を撤去して再構成する場合に比べて短時間で工事を完了できる。
【００２０】
いずれの施工も、管路口２の外部（段部４ａより外側）での作業であり、熟練を要しない簡単な作業である。
【符号の説明】
【００２１】
１    管路
２    管路口
３    直管部
４    拡径部
４ａ  段部
５    外周フランジ
６    内側パッキング
６ａ  切れ目
７    止水コンパウンド
８    液状止水剤を含浸させた脱脂綿
９    弾性パッキング
９ａ  切れ目
９ｂ  ボルト挿通孔
９ｃ  薬液注入孔
１０  脱脂綿
１１  外側パッキング
１１ａ  切れ目
１１ｂ  ボルト挿通用の切欠
１２    押さえ金具
１２ａ  分割体
１２ｂ  分割体
１３    液状止水剤を含浸させた脱脂綿
１４    ボルト
１５    ナット
Ｃ    ケーブル
【要約】
【課題】管路口の外部での簡単な施工により十分な止水効果が得られる止水構造を提供する。
【解決手段】止水構造は、内側パッキング６、止水コンパウンド７、液状止水剤を含浸させた脱脂綿８、弾性パッキング９、脱脂綿１０、外側パッキング１１、押さえ金具１２を具備し、ケーブルＣを挿通させ、ボルト・ナット１４，１５で外周フランジ５に締付け固定される。弾性パッキング９の内側で、止水コンパウンド７と外側パッキング１１との間に脱脂綿１０が詰められる。弾性パッキング９は、それの外周から内周に貫通する薬液注入孔９ｃを有し、当該弾性パッキング９の内側に充填された脱脂綿１０に外部から液状止水剤を注入できるように構成される。液状止水剤は、水と反応して硬化する。
【選択図】図２【図１】
0005210429.tif 000002
【図２】
0005210429.tif 000003
【図３】
0005210429.tif 000004